(57)【特許請求の範囲】
【請求項１】
インターネットＦＡＸ通信手段とＧ３ファクシミリ通信手段を有する画像通信装置において、
相手機から送られたＧ３ファクシミリ通信手順に基づいて、前記相手機のＦＡＸ機能を検出する検出手段と、
前記検出手段による検出に応じて、インターネットＦＡＸ通信モードへ切換えるか否かを判別する判別手段と、
前記判別手段による判別に応じて、前記インターネットＦＡＸ通信モードへの切換えを指示する信号を前記Ｇ３ファクシミリ通信手段により前記相手機に送信する送信手段と、
前記送信手段による前記信号の送信後に、前記インターネットＦＡＸ通信手段によるインターネットＦＡＸ通信に移行する移行手段と、
を有することを特徴とする画像通信装置。
【請求項２】
請求項１において、
前記相手機の機能を記憶する記憶手段と、
読み取った画像を画像ファイルに変換する変換手段と、
前記Ｇ３ファクシミリ通信手段が受信した信号に基づく情報を相手機のインターネットＦＡＸのアドレスに対応させて前記記憶手段に記憶し、インターネットＦＡＸ通信手段による画像の送信時に、前記記憶手段に記憶された情報に従って送信画像を画像ファイルへ変換することを特徴とする画像通信装置。
【請求項３】
インターネットＦＡＸ通信モードとＧ３ファクシミリ通信モードを有する画像通信方法において、
相手機から送られたＧ３ファクシミリ通信手順に基づいて、前記相手機のＦＡＸ機能を検出する検出工程と、
前記検出工程における検出に応じて、インターネットＦＡＸ通信モードへ切換えるか否かを判別する判別工程と、
前記判別工程による判別に応じて、前記インターネットＦＡＸモードへの切換えを指示する信号を前記Ｇ３ファクシミリ通信モードにおいて前記相手機に送信する送信工程と、
前記送信工程における前記信号の送信後に、前記インターネットＦＡＸ通信モードによるインターネットＦＡＸ通信に移行する移行工程と、
を有することを特徴とする画像通信方法。
【請求項４】
インターネットＦＡＸ通信手段とＧ３ファクシミリ通信手段を有する画像通信装置において、
他の装置に関する情報として、インターネットＦＡＸ機能の有無、及びインターネットＦＡＸ機能における受信能力を記憶する記憶する記憶手段と、
前記記憶手段に記憶されている情報に基づいて、オペレータにより指定された相手機がインターネットＦＡＸ機能を有し、かつ、前記記憶手段に前記相手機のインターネットＦＡＸ機能における受信能力が記憶されていないと判断した場合に、所定の条件に応じて、前記インターネットＦＡＸ通信手段により通信する通信手段を有することを特徴とする画像通信装置。
【請求項５】
請求項４において、
前記所定の条件は、前記相手機に発呼するための電話番号が前記記憶手段に記憶されていないと判断した場合であることを特徴とする画像通信装置。
【請求項６】
請求項５において、
前記通信手段は、前記相手機がインターネットＦＡＸ機能を有し、前記記憶手段に前記相手機のインターネットＦＡＸ機能における受信能力が記憶されてなく、かつ、電話番号が記憶されている場合は、前記Ｇ３ファクシミリ通信手段により通信することを特徴とする画像通信装置。
【請求項７】
請求項４において、
Ｇ３ファクシミリ通信手順により受信した情報に基づいて、該情報を送信した機器のインターネットＦＡＸ機能を検出する検出手段と、
前記検出手段による検出結果を前記記憶手段に記憶する制御手段と、
を有することを特徴とする画像通信装置。
【請求項８】
請求項４において、
前記通信手段は、前記相手機がインターネットＦＡＸ機能を有し、前記記憶手段に前記相手機のインターネットＦＡＸ機能における受信能力が記憶されている場合は、前記所定の条件に係らず、前記インターネットＦＡＸ通信手段により通信することを特徴とする画像通信装置。
【請求項９】
インターネットＦＡＸ通信モードとＧ３ファクシミリ通信モードを有する画像通信方法において、
他の装置に関する情報として、インターネットＦＡＸ機能の有無、及びインターネットＦＡＸ機能における受信能力をメモリに記憶する記憶工程と、
前記メモリに記憶されている情報に基づいて、オペレータにより指定された相手機がインターネットＦＡＸ機能を有し、かつ、前記前記メモリに前記相手機のインターネットＦＡＸ機能における受信能力が記憶されていないと判断した場合に、所定の条件に応じて、前記インターネットＦＡＸ通信モードにより通信する通信工程を有することを特徴とする画像通信方法。
【発明の詳細な説明】
【０００１】
【発明の属する技術分野】
本発明は、Ｇ３ファクシミリ通信及びインターネットＦＡＸ通信が可能な画像通信装置及び画像通信方法に関するものである。
【０００２】
【従来の技術】
従来、電話網でＧ３ファクシミリとして送受信し、または、インターネットにＬＡＮ接続して、通信費が不要なインターネットＦＡＸ（インターネットＦＡＸのＳｉｍｐｌｅ  Ｍｏｄｅ）により画像の送受信を行なう事が出来た。
【０００３】
そして、このＳｉｍｐｌｅ  ＭｏｄｅではＡ４サイズ、２００ＤＰＩの画像が送信できた。
【０００４】
【発明が解決しようとする課題】
しかしながら前記の従来のシステムでは、インターネットＦＡＸのＳｉｍｐｌｅ  Ｍｏｄｅモードの交信では相手機のＦＡＸの詳細な機能を知ることができなかった。
【０００５】
だから、インターネットＦＡＸのＳｉｍｐｌｅ  Ｍｏｄｅモードの交信において、受信機がＦＡＸ機能として、記録解像度４００ＤＰＩ、Ｂ４サイズの記録紙が使用可能であること、カラー受信機能を持つことなどについて、送信機側では知ることができなかった。
【０００６】
それで、送信側で原稿が４００ＤＰＩ、Ｂ４サイズ、カラーで読取られたとしても、読取った画像データを２００ＤＰＩ、Ａ４サイズ、に変換してからでないと送信出来ない問題点があった。
【０００７】
本発明は前記従来技術の課題を解決することを目的とする。
【０００８】
さらに本発明は、Ｇ３ファクシミリ通信及びインターネットＦＡＸ通信が可能な画像通信装置において、相手機に適した方法で画像を送信することを目的とする。
【００１１】
【課題を解決するための手段】
本発明は、インターネットＦＡＸ通信手段とＧ３ファクシミリ通信手段を持つ画像通信装置において、相手機から送られたＧ３ファクシミリ通信手順に基づいて、前記相手機のＦＡＸ機能を検出する検出手段と、前記検出手段による検出に応じて、インターネットＦＡＸ通信モードへ切換えるか否かを判別する判別手段と、前記判別手段による判別に応じて、前記インターネットＦＡＸ通信モードへの切換えを指示する信号を前記Ｇ３ファクシミリ通信手段により前記相手機に送信する送信手段と、前記送信手段による前記信号の送信後に、前記インターネットＦＡＸ通信手段によるインターネットＦＡＸ通信に移行する移行手段と、を有することを特徴とする。
【００１２】
また、インターネットＦＡＸ通信モードとＧ３ファクシミリ通信モードを持つ画像通信方法において、相手機から送られたＧ３ファクシミリ通信手順に基づいて、前記相手機のＦＡＸ機能を検出する検出工程と、前記検出工程における検出に応じて、インターネットＦＡＸ通信モードへ切換えるか否かを判別する判別工程と、前記判別工程による判別に応じて、前記インターネットＦＡＸモードへの切換えを指示する信号を前記Ｇ３ファクシミリ通信モードにおいて前記相手機に送信する送信工程と、前記送信工程における前記信号の送信後に、前記インターネットＦＡＸ通信モードによるインターネットＦＡＸ通信に移行する移行工程と、を有することを特徴とする。
【００１３】
また、インターネットＦＡＸ通信手段とＧ３ファクシミリ通信手段を有する画像通信装置において、他の装置に関する情報として、インターネットＦＡＸ機能の有無、及びインターネットＦＡＸ機能における受信能力を記憶する記憶する記憶手段と、前記記憶手段に記憶されている情報に基づいて、オペレータにより指定された相手機がインターネットＦＡＸ機能を有し、かつ、前記記憶手段に前記相手機のインターネットＦＡＸ機能における受信能力が記憶されていないと判断した場合に、所定の条件に応じて、前記インターネットＦＡＸ通信手段により通信する通信手段を有することを特徴とする。
【００１４】
また、インターネットＦＡＸ通信モードとＧ３ファクシミリ通信モードを有する画像通信方法において、他の装置に関する情報として、インターネットＦＡＸ機能の有無、及びインターネットＦＡＸ機能における受信能力をメモリに記憶する記憶工程と、前記メモリに記憶されている情報に基づいて、オペレータにより指定された相手機がインターネットＦＡＸ機能を有し、かつ、前記前記メモリに前記相手機のインターネットＦＡＸ機能における受信能力が記憶されていないと判断した場合に、所定の条件に応じて、前記インターネットＦＡＸ通信モードにより通信する通信工程を有することを特徴とする。
【００１５】
【発明の実施の形態】
以下、本発明の実施例について、図面を参照しながら説明する。
【００１６】
図１は本発明のインターネットＦＡＸ（ファクシミリ）装置による画像通信の一実施例を示すブロック図である。
【００１７】
図１において、１は画像を送る送信側として動作するインターネットＦＡＸ装置である。２は画像を受け取る受信側として動作するインターネットＦＡＸ装置である。インターネットＦＡＸ装置２の内部構造は送信側のインターネットＦＡＸ装置１と同じなので図示しない。
【００１８】
３はＧ３ファクシミリ通信を行うために使用される電話網である。４はインターネットである。本実施の形態でにおいてインターネット４はＥメールを通信するためのネットワークとして使用される。
【００１９】
５はインターネットＦＡＸ装置１を制御するＣＰＵである。６は原稿を読み込み画像データに変換するスキャナ部である。７は画像データを記録紙に画像として印字するプリンタ部である。
【００２０】
８はＧ３ＦＡＸモードで交信するＦＡＸモデムであり、Ｇ３ＦＡＸの手順信号及び画像信号を変復調する。９はＮＣＵ（ネットワークコントロールユニット）であり、電話網３（電話回線）に接続され回線の発呼、着呼およびアナログ信号のインターフェースを行う。ＮＣＵ９はＣＰＵ５の制御により回線の接続、回線の切断を行う。
【００２１】
１０はインターネットに接続されるＥｔｈｅｒｎｅｔインターフェース（イーサネットインターフェース）であり、デジタル信号をＴＣＰ／ＩＰのパケットとしてやり取りする。
【００２２】
１１はＣＰＵ５が実行するインターネットＦＡＸ１の制御プログラムおよび制御データが格納されているＲＯＭである。１２はＣＰＵ５が制御プログラムを実行する際にアクセスし、ＣＰＵ５によりワークエリアとして使用されるとともに、制御データおよび画像の送信宛先データを格納するＲＡＭである。
【００２３】
１３は送信時にオペレータが送信宛先を指示入力するワンタッチボタンを備えた操作部である。
【００２４】
まず、初めにインターネットＦＡＸが持つ基本的な２つの通信モードについて説明する。
【００２５】
１つはＧ３ＦＡＸモードであり、もう１つはインターネットＦＡＸモードである。
【００２６】
以下は、Ｇ３ＦＡＸモードについての説明である。Ｇ３ＦＡＸモードとは、図１に表されるインターネットＦＡＸ装置１（以下送信機１と称する）およびインターネットＦＡＸ装置２（以下受信機２と称する）を用いた通信において、画像が電話網３を経由してＧ３ファクシミリモードで送受信されるモードである。
【００２７】
Ｇ３ＦＡＸモードでの通信におけるオペレータの操作と送信機１の動作および受信機２の動作の概略について以下に説明する。
【００２８】
オペレータは、送信機１のスキャナ部６に原稿をセットし、操作部１３のワンタッチボタンを押下する。
【００２９】
それに応じて、ＣＰＵ５は、ワンタッチボタンにより指示された宛先に従い宛先データ（図３）をＲＡＭ１２から読み出す。そして、宛先データに登録された情報に基づき、ＣＰＵ５はＧ３ＦＡＸモードかインターネットＦＡＸモード（本発明の実施の形態では、インターネットＦＡＸのＳｉｍｐｌｅ  Ｍｏｄｅを使用するものとして説明する）のいずれのモードで画像データを送信するのかを選択する。
【００３０】
その結果、Ｇ３ＦＡＸモードが選択されると、ワンタッチボタンにより指示された宛先の宛先データに登録された電話番号がＣＰＵ５によりＲＡＭ１２から読み出される。ＣＰＵ５は、ＮＣＵ９にＲＡＭ１２から読み出した電話番号へ発呼させる。そして、電話網３を経由して受信機２が呼び出される。
【００３１】
次に、送信機１のスキャナ部６で原稿画像が読み込まれ、読み込まれた原稿画像は、ＣＰＵ５によりＲＯＭ１１に記憶された制御プログラム（制御ソフト）に従って画像データに変換される。
【００３２】
一方、送信機１から発呼された受信機２は、通常のＧ３ＦＡＸ手順に従い自動受信を開始する。
【００３３】
送信機１と受信機２との間で行われる通信において、まず、ＩＴＵ−ＴのＴ３０の手順に従い初期識別が行われる。その際、手順信号はモデム８で変復調され電話網３を経由して送信機１と受信機２との間で送受信される。
【００３４】
初期識別が終わると、送信機１においてＣＰＵ５により、ＲＯＭ１１に記憶された制御プログラム（制御ソフト）に従って画像データが符号化されて送信され、受信機２では、受信した画像データが復号化されてプリンタに送られ印字される。
【００３５】
送信機１は画像データの送信を終わると手順終了信号（ＥＯＰ信号）を送信する。
【００３６】
これに対して、受信機２から確認信号（ＭＣＦ信号）を受け取ると送信機１は切断命令（ＤＣＮ信号）を送信しＧ３ＦＡＸモードの通信を終了する。
【００３７】
以下は、インターネットＦＡＸモードについての説明である。インターネットＦＡＸモードとは、図１の送信機１および受信機２を用いた通信において、画像がインターネット４を経由してインターネットＦＡＸモード（本実施例では、インターネットＦＡＸのＳｉｍｐｌｅＭｏｄｅ）で送受信されるモードである。
【００３８】
ここで、ＳｉｍｐｌｅＭｏｄｅとは、ＭＨ符号化方式で符号化されたＡ４サイズ、２００ＤＰＩの画像データによって構成されたＴＩＦＦ（Ｔａｇ  Ｉｍａｇｅ  Ｄａｔａ  Ｆｏｒｍａｔ）形式の画像ファイルをＥメールに添付して送信する方式である。
【００３９】
インターネットＦＡＸモードでの通信におけるオペレータの操作と送信機１の動作および受信機２動作の概略について以下に説明する。
【００４０】
オペレータは、送信機１のスキャナ部６に原稿をセットし、操作部１３のワンタッチボタンを押下する。
【００４１】
それに応じて、ＣＰＵ５は、ワンタッチボタンにより指示された宛先に従い宛先データをＲＡＭ１２から読み出す。そして、宛先データに登録された情報に基づき、ＣＰＵ５はＧ３モードかインターネットＦＡＸモードのいずれのモードで画像データを送信するのかを選択する。
【００４２】
その結果、インターネットＦＡＸモードが選択されると、ワンタッチボタンにより指示された宛先の宛先データに登録されたインターネットアドレスがＣＰＵ５によりＲＡＭ１２から読み出される。
【００４３】
次に、送信機１のスキャナ部６で原稿画像が読み込まれ、読み込まれた原稿画像は、ＣＰＵ５によりＲＯＭ１１に記憶された制御プログラム（制御ソフト）に従って画像データに変換される。
【００４４】
そして、その画像データは、ＣＰＵ５によりＲＯＭ１１に記憶された制御プログラム（制御ソフト）に従ってＥメールの添付ファイルに変換される。
【００４５】
画像データを添付ファイルへ変換し終えたら、Ｅメールの宛先としてＲＡＭ１２から読み出したインターネットアドレスをセットして、画像データの添付ファイルが添付されたＥメールを、Ｅメールの送信を行うプロトコルであるＳＭＴＰ（Ｓｉｍｐｌｅ  Ｍａｉｌ  Ｔｒａｎｓｆｅｒ  Ｐｒｏｔｏｃｏｌ）のプロトコルを使用して、Ｅｔｈｅｒｎｅｔを介し、インターネットを経由で受信機２に送信する。
【００４６】
一方、受信機２は通常のＳＭＴＰプロトコルに従いＥメールの受信を行う。
【００４７】
受信機２は、Ｅメールを受信すれば、Ｅメールに添付ファイルが添付されているか否かを検出する。そして、Ｅメールの添付ファイルが検出されると、添付ファイルは画像データか否かを判定する。
【００４８】
判定の結果、添付ファイルが画像データであれば、添付ファイルを画像データに変換し、変換した画像データをプリンタに送って印字する。
【００４９】
以上のようにインターネットＦＡＸ装置では、２つの基本的なモードであるＧ３ＦＡＸモードおよびインターネットＦＡＸモードが動作する。
【００５０】
さらに、本発明の実施の形態におけるインターネットＦＡＸ装置の特徴的な動作を図２から図７を用いて説明する。本発明の実施の形態では、ＩＴＵ−Ｔ勧告のＴ３０の初期識別信号、受信命令信号、送信命令信号に新たなビットと新たなオプションフレームを追加する事を提案する。
【００５１】
図２は、Ｔ３０のインターネットアドレス通知用のオプショナル信号を説明した図である。図３は、宛先データのフォーマットを説明した図である。図４は、ワンタッチ送信のフローチャートである。図５は、インターネットＦＡＸ装置１の画像送信動作のフローチャートである。図６は、ＴＩＦＦ変換のフローチャートである。図７は、インターネットＦＡＸ装置２の画像受信動作のフローチャートである。送信装置１と受信装置２は、同じ構成の装置なので、受信装置２の説明は、送信装置１のブロック図を用いて説明する。
【００５２】
ここで、本発明の実施の形態において提案するＤＩＳ信号の内容を説明する。
【００５３】
ＤＩＳのオクテット（ＦＩＦのビットの割り当て）はＩＴＵ−Ｔで割り当てられるが、本発明の実施の形態では、ＤＩＳ信号のＦＩＦにはインターネットＦＡＸ能力を現すビット（ＢＩＴ）が割り当てられたと仮定する。そして、ビットＸはインターネットＦＡＸの機能の有無を現す。つまり、受信機の持つインターネットＦＡＸ機能の有無がＤＩＳのビットＸで表現される。
【００５４】
また、本発明の実施の形態において提案するＤＣＳ信号の内容を説明する。
【００５５】
ＤＣＳ信号のＦＩＦにはインターネットＦＡＸへ切換えるか否かを指示するビットＸが割り当てられている。ＤＣＳのオクテット（ＦＩＦのビットの割り当て）はＩＴＵ−Ｔで割り当てられるが、本発明の実施の形態では、ＤＣＳ信号のＦＩＦにはＧ３ＦＡＸモードからインターネットＦＡＸモードへ通信モードを切換えて通信を行うこと指示するビットが割り当てられているものと仮定する。ビットＸはインターネットＦＡＸへモードを切換えて通信する指示を現す。
【００５６】
なお、Ｘとして１つのＢＩＴを割り当てることもできるし、複数のＢＩＴを割り当てることもできる。
【００５７】
また、これらのビットＸはインターネットＦＡＸ機能の有無を示すビットがＩＴＵ−Ｔで正式に勧告化されたときには、その勧告化されたビットに対応するものとする。
【００５８】
図２は、本発明の実施の形態で提案するＴ３０のインターネットアドレス通知用のオプショナル信号を説明した図である。
【００５９】
従来、Ｔ３０の手順において電話番号を通知するためのオプションとしてＣＳＩ、ＣＩＧ、ＴＳＩ信号が使われてきた。本発明の実施例では、今回新たにインターネットアドレスを通知するための信号として、ＣＳＩ、ＣＩＧ、ＴＳＩに対応させてＣＳＥ、ＣＩＥ、ＴＳＥ信号を提案し使用する。このＣＳＥ、ＣＩＥ、ＴＳＥ信号中のＦＩＦにインターネットアドレスが格納されるものとする。
【００６０】
オプショナル信号であるＣＳＥ信号は、電話番号を送信するＣＳＩ信号と同等に、フレームのＦＩＦに受信機のインターネットアドレスが格納されて送信される信号である。ＣＳＥ信号がＴ３０手順で送信されるタイミングはＣＳＩと同等である。
【００６１】
オプショナル信号であるＣＩＥ信号は、電話番号を送信するＣＩＧ信号と同等に、フレームのＦＩＦにポーリング要求機のインターネットアドレスが格納されて送信される信号である。ＣＩＥ信号がＴ３０手順で送信されるタイミングはＣＩＧと同等である。
【００６２】
オプショナル信号のＴＳＥ信号は、電話番号を送信するＴＳＩ信号と同等に、フレームのＦＩＦに送信機のインターネットアドレスが格納されて送信される信号である。ＴＳＥ信号がＴ３０手順で送信されるタイミングはＴＳＩと同等である。
【００６３】
本発明の実施の形態におけるＧ３ＦＡＸモードの信号の送受信の様子を図８を用いて説明する。基本的には公知のＴ３０手順をベースに動作するので、公知のＴ３０手順と本発明の実施の形態の相違点のみ説明する。
【００６４】
初めに、送信機1が電話網を介して受信機２を発呼する。
【００６５】
電話網より着呼した受信機２は、電話網に回線接続し、自機のインターネットＦＡＸの能力に従い、ＤＩＳのＸビットをセットして送信する。このときＤＩＳには、インターネットＦＡＸのＳｉｍｐｌｅ  Ｍｏｄｅにより使用できる機能の通知を行うだけでなく、インターネットＦＡＸのＳｉｍｐｌｅ  Ｍｏｄｅでは使用できない機能の通知も行う。
【００６６】
送信機１は、受信機２のＤＩＳを受信すると、ＤＩＳのＸビットにより受信機２のインターネットＦＡＸモードの有無を判定し、受信機２がインターネットＦＡＸモードを持つと判定した場合には、図４に示す通信モード選択フローチャート（後で詳しく説明する）に従い通信モードを判定し、インターネットＦＡＸのモードが選択されれば、ＤＣＳ信号のＸビットにインターネットＦＡＸモードへの切り替え指示をセットし、オプションフレームＴＳＥに送信機１のインターネットアドレスをセットして送信する。そして、受信したＤＩＳにより通知されたインターネットＦＡＸのＳｉｍｐｌｅ  Ｍｏｄｅでは通知できない機能を宛先データに格納する。
【００６７】
受信機２はＤＣＳを受信すると、ＤＣＳのＸビットによりインターネットＦＡＸモードへ移行が指示されているか否かを判定し、移行が指示されている場合には、ＣＦＲを送信し、さらにオプションフレームＣＳＥに自機のインターネットアドレスを格納して送信する。
【００６８】
送信機１は、ＤＣＳ送信後にＣＦＲを受信すると、インターネットＦＡＸモードへ移行するためにＤＣＮを送信し回線切断して電話網による通信を終了する。
【００６９】
受信機２は、ＤＣＮを受信したことに応じて回線切断する。
【００７０】
そして、送信機１はインターネットＦＡＸモードへ移行し、ＴＩＦＦ形式の画像データファイルを添付したＥメールを送信する。
【００７１】
受信機２は、インターネット経由で受信したＥメールに添付された画像データファイルを印字用データに変換して記録紙に記録する。
【００７２】
なお、受信機２から送信するオプションフレームＣＳＥは、ＤＩＳとともに送信する構成でもよく、その場合、ＤＣＳを受信した後のＣＳＥは送信する構成でもよいし、送信しない構成としてもよい（図９）。
【００７３】
図３に宛先データのフォーマットを示す。この宛先データは、複数のワンタッチダイヤルや短縮ダイヤルのそれぞれに対応して１つずつ設けられており、それら複数の宛先データを持つ宛先テーブルとして図１のＲＡＭ１２に記憶されている。以下、ワンタッチダイヤル番号と短縮ダイヤル番号を総称してワンタッチ番号と略す。
【００７４】
図３において、ワンタッチ番号毎に、Ｇ３ＦＡＸモード（Ｇ３ＦＡＸ機能）の有無、電話番号、インターネットＦＡＸモード（インターネットＦＡＸ機能）の有無、インターネットアドレス、受信機情報がＲＡＭ１２に格納されている。
【００７５】
図４を用いて、インターネットＦＡＸのワンタッチ送信のフローチャートを説明する。図４のフローチャートは、ＲＯＭ１１に記憶されたプログラムであり、ＣＰＵ５によって実行される。
【００７６】
操作部１３のワンタッチダイヤルボタンが押下されると、そのボタンに対応するワンタッチ番号の情報(Ｇ３ＦＡＸモードの有無、電話番号、インターネットＦＡＸモードの有無、インターネットアドレス)が読み出される。
【００７７】
ステップＳ１でオペレータによりワンタッチダイヤルボタンが押下される（入力される）と、押下されたワンタッチダイヤルボタンに対応するワンタッチ番号の宛先データの情報が読み出される。
【００７８】
ステップＳ２において、入力された宛先にはインターネットＦＡＸモードがあると判定されるとステップＳ３に進み、入力された宛先にはインターネットＦＡＸモードがないと判定されるとステップＳ７に進む。
【００７９】
ステップＳ７では、宛先データに電話番号がセットされているか否かが判定され、電話番号がセットされていればＧ３ＦＡＸモードで送信を行い、電話番号がセットされていなければ宛先エラーとして宛先エラー処理を行う。
【００８０】
ステップＳ３で受信機の機能に関する情報（受信機能情報）が宛先データに書き込まれているか否かが判定される。受信機能情報が宛先データに書き込まれている場合には、宛先データから受信機能情報が読み出されインターネットＦＡＸモードによる送信のためにセットされる。そして、インターネットＦＡＸモードで送信が実行される。
【００８１】
一方、宛先データに受信機能情報が書き込まれていない場合には電話番号が書き込まれているか否かがチェックされる。電話番号が書き込まれている場合には、Ｇ３ＦＡＸ送信モードが選択され、受信機能情報を受信機２から受信するための通信を実行する。
【００８２】
電話番号が書き込まれていない場合には受信機能情報としてＡ４サイズ、２００ＤＰＩ、ＭＨ符号化方式がセットされ、インターネットＦＡＸモードで送信が行われる。
【００８３】
図５において、インターネットＦＡＸ装置の送信側のフローを説明する。図５のフローは、ＲＯＭ１１に記憶されＣＰＵ５により実行されるプログラムである。
【００８４】
オペレータにより原稿がセットされワンタッチボタン０１が操作部で押下されたとする。図４のワンタッチ送信のフローに従い、ＣＰＵ５により図３に示される宛先０１の宛先データが調べられ、インターネットＦＡＸの機能あり、かつ、受信機能情報がメモリに格納されていない、かつ、電話番号が登録されていると判定される。これらの情報により宛先０１に対しては、電話網により発呼し、Ｇ３ＦＡＸモードでの通信が開始される。
【００８５】
発呼後、ステップＳ１０１で受信機２からＤＩＳを受信する。
【００８６】
ステップＳ１０２で自機のインターネットＦＡＸ機能を調べ、自機でインターネットＦＡＸ機能が使用可であるとセットされていると、ステップＳ１０３に進む。自機でインターネットＦＡＸ機能が使用不可とセットされているときには、ステップＳ１１２に進み、通常のＴ３０手順にしたがってＧ３ＦＡＸモードで画像データを送信する。
【００８７】
ステップＳ１０３では、受信したＤＩＳのインターネットＦＡＸモードの有無を調べる。ＤＩＳにインターネットＦＡＸモードが有るとステップＳ１０４に進み、ＤＩＳにインターネットＦＡＸモードが無ければ、ステップＳ１１２に進む。ステップＳ１０４では、受信した受信機２の情報、例えばＢ４サイズ、４００ＤＰＩ、ＪＢＩＧのＤＩＳ情報を図３の宛先データのワンタッチ番号０１に格納する。
【００８８】
ステップＳ１０５でＴＳＥ信号に自機のインターネットアドレスをセットする。
【００８９】
ステップＳ１０６でＴＳＩ、ＴＳＥ、ＤＣＳを送信する。ＴＳＩ、ＴＳＥ、ＤＣＳ送信後にステップＳ１０７でＣＦＲを受信すると、ステップＳ１０８でＣＳＥを受信したか否かを判定する。ＣＳＥを受信していれば、ステップＳ１０９へ進み、そうでなければ、ステップＳ１１０へ進む。
【００９０】
ステップＳ１０９では、ＣＳＥのＦＩＦ中のインターネットアドレスをＲＡＭ１２のワークエリアに格納するとともに宛先テーブルの対応するワンタッチ番号のインターネットアドレスにセットする。
【００９１】
ステップＳ１１０でＤＣＮを送信し、その後ステップＳ１１１でＮＣＵ９に回線切断させる。
【００９２】
さらに、ステップＳ１１３でインターネットＦＡＸモードの送信処理を開始する。
【００９３】
ステップＳ１１４において、ステップＳ１０９でワークエリアに格納された受信機２のインターネットアドレスをＥメールの宛先としてセットする。
【００９４】
ステップＳ１１５で画像データファイルをＴＩＦＦに変換する。この際、送信する画像は図６のＴＩＦＦ変換のフローに従い、例えばＢ４サイズ、４００ＤＰＩ、ＪＢＩＧのＴＩＦＦが作成される。
【００９５】
ステップＳ１１６でＴＩＦＦ形式に変換された画像データファイルがＥメールに添付されステップＳ１１７でＳＭＴＰで送信される。そして、ステップＳ１１８で待機状態に戻る。
【００９６】
図６においてＴＩＦＦの変換のフローを説明する。図６のフローは、ＲＯＭ１１に記憶されＣＰＵ５により実行されるプログラムである。
【００９７】
ステップＳ２０１で送信する画像の解像度を調べる、４００ＤＰＩならステップＳ２０２に進み、２００ＤＰＩならステップＳ２０４に進む。
【００９８】
ステップＳ２０２でオペレータにより押されたワンタッチ番号の宛先データの受信機能情報に４００ＤＰＩが有るか否かを調べ、あればステップＳ２０４に進み、ない場合にはステップＳ２０３で解像度変換が行われ２００ＤＰＩに変換される。
【００９９】
ステップＳ２０４で送信する画像のサイズを調べ、Ｂ４ならステップＳ２０５へ進み、Ａ４なら、ステップＳ２０７に進む。
【０１００】
ステップＳ２０５でオペレータにより押されたワンタッチ番号の宛先データの受信機能情報にＢ４が有るか否かを調べ、Ｂ４があればステップＳ２０７に進み、ない場合にはステップＳ２０６でサイズ変換を行いＡ４サイズに変換する。
【０１０１】
ステップＳ２０７でオペレータにより押されたワンタッチ番号の宛先データの受信機能情報の符号方式が調べられ、ＪＢＩＧ、ＭＭＲ、ＭＲ、ＭＨのそれぞれの方式に符号化される。
【０１０２】
Ｓ２０８からＳ２１１で符号化した画像データをステップＳ２１２でＴＩＦＦ形式のファイルに変換する。
【０１０３】
図７において、インターネットＦＡＸ装置の受信側のフローを説明する。図７のフローは、ＲＯＭ１１に記憶されＣＰＵ５によりインターネットＦＡＸ装置が受信側として動作するときに実行されるプログラムである。
【０１０４】
電話網から呼び出しがあるとＮＣＵ９が着呼し、Ｇ３ＦＡＸモードの自動受信手順を開始する。
【０１０５】
ステップＳ３０１で自機のインターネットＦＡＸモードが使用可と設定されているか使用不可と設定されているかに応じて、インターネットＦＡＸモードが使用可であれば、ステップＳ３０２に進み、インターネットＦＡＸモードが使用不可であれば、ステップＳ３１４に進み通常のＴ３０の手順に復帰する。
【０１０６】
ステップＳ３０２で自機のインターネットＦＡＸ機能の設定に応じてＤＩＳのＸビットをセットする。そして、ステップＳ３０３でＤＩＳを送信する。
【０１０７】
ステップＳ３０４でＤＣＳ信号を受信すると、ステップＳ３０５でＤＣＳ信号のＸビットが０であるか否かを判定し、ＤＣＳ信号のＸビットが０である場合にはＳ３１４に進んで通常のＴ３０手順に復帰する。
【０１０８】
ステップＳ３０６でＴＳＥを受信したか否かを検出し、Ｓ３０７でＴＳＩを受信したか否かを検出する。ＴＳＥを受信し、かつ、ＴＳＩも受信していれば、ステップＳ３０８に進み、それ以外の場合は、ステップＳ３０９へ進む。
【０１０９】
ステップＳ３０８ではＴＳＥのインターネットアドレスをＴＳＩの電話番号に対応した宛先データのインターネットアドレスに格納する。
【０１１０】
ステップＳ３０９でＣＳＥ信号に自機のインターネットアドレスを格納する。ステップＳ３１０でＣＳＥ／ＣＦＲを送信し、ステップＳ３１１でＤＣＮの受信を検出する。ＤＣＮを受信しない場合には、ステップＳ３０４にもどる。
【０１１１】
ステップＳ３１１でＤＣＮを受信したら、ステップＳ３１２でＮＣＵ９に回線切断させる。そして、ステップＳ３１３の待機状態にもどる。
【０１１２】
ステップＳ３１３で待機状態に戻ると、送信機からインターネットＦＡＸモードで画像データが送信されてくるので、ステップＳ３１５でインターネットＦＡＸモードの受信が開始される。
【０１１３】
ステップＳ３１６でＳＭＴＰでＥメールの受信が行われる。
【０１１４】
ステップＳ３１７でＥメールの添付ファイルの有無をチェックし、ステップＳ３１８で添付ファイルがＴＩＦＦファイルであるか否かをチェックする。
【０１１５】
ステップＳ３１７とＳ３１８において、添付ファイルが有り、かつ、ＴＩＦＦファイルであることが検出されれば、ステップＳ３１９へ進み、それ以外であれば、ステップＳ３２１に進む。
【０１１６】
ステップＳ３１９でＴＩＦＦファイルを画像データに変換し、ステップＳ３２０で画像データをプリンタで出力する。
【０１１７】
ステップＳ３２１でＥメール受信ＬＯＧを作成して、Ｓ３２２で待機状態に復帰する。
【０１１８】
通常のインターネットＦＡＸモードであるＳｉｍｐｌｅ  ＭｏｄｅではＡ４サイズ、２００ＤＰＩ、ＭＨ符号化方式のＴＩＦＦファイルしか受信しないが、本発明の実施の形態によれば、送信機１は、受信機２の機能を記憶しているか、記憶していない場合は、Ｇ３ＦＡＸモードで受信機２の受信機能情報を受信した後に、受信機２の受信機能にあわせて、Ｂ４サイズ、４００ＤＰＩ、ＪＢＩＧのＴＩＦＦファイルで送付できる。
【０１１９】
そして、受信機２では、受信機２の機能に合わせて送信されたＢ４サイズ、４００ＤＰＩ、ＪＢＩＧの画像データをプリント用の画像データに確実に変換でき、インターネットＦＡＸモードのＳｉｍｐｌｅ  Ｍｏｄｅで使用できる機能以外の機能を使用した画像データを受信しても確実にプリントが可能である。
【０１２０】
以上のようにして、本発明の実施の形態では、受信機のインターネットＦＡＸの機能をＤＩＳ信号で送信機へ通知し、受信機のインターネットアドレスをオプショナル信号のＣＳＥで送信する。一方、送信機では、ＤＣＳでインターネットＦＡＸモードによる通信をを指示し、Ｇ３ＦＡＸモードを中断する。そして、インターネットＦＡＸモードで通信を実行するので、インターネットＦＡＸモードのＳｉｍｐｌｅ  Ｍｏｄｅでは送信できない受信機の機能に合わせた画像データをインターネット経由で送信することができる。
【０１２１】
（他の発明の実施の形態）
上記発明の実施の形態ではＴ３０手順を中断してインターネットＦＡＸモードに切り替えることを示した。しかし、ある相手先との1回目の通信は、Ｇ３ＦＡＸモードで画像データも送信し、1回目の交信後に次回そのワンタッチ番号を使用した送信から直接インターネットＦＡＸモードを選択して送信することも可能である。
【０１２２】
１回目の通信であるか否かという判定は、図３のワンタッチ番号０１のように、受信機能情報が記憶されていないもの、または、宛先番号０４のようにインターネットＦＡＸ機能がなしとなっているものをその宛先とのインターネットＦＡＸモードでの1回目の通信であると判定する。その外にも、インターネットＦＡＸアドレスが記憶されていないものをその宛先とのインターネットＦＡＸモードでの1回目の通信であると判定してもよい。また、インターネットＦＡＸ機能がなしとなっているか、インターネットＦＡＸアドレスが記憶されていないか、受信機能情報が記憶されていない場合のいずれか１つでも条件が合う場合は、その宛先とのインターネットＦＡＸモードでの1回目の通信であると判定してもよい。
【０１２３】
ある相手先との１回目の通信である場合は、上記発明の実施の形態の図４の判定によりＧ３ファクシミリ送信モードが選択される。
【０１２４】
そして、発明の実施の形態の説明と異なる点は、１回目の通信である場合、図５のフローが異なる点である。以下、発明の実施の形態と異なる点のみ説明し、同じ点の説明は省略する。
【０１２５】
図５のステップＳ１０８のＮＯまたは、ステップＳ１０９の実行後、通常のＴ３０の画像データの送信を行う（トレーニング／ＴＣＦ信号を送信し、受信機２からＣＦＲ信号を受信すれば画像データを送信する）。その通信の全てのページの画像データの送信後、通常のＴ３０のＥＯＭ信号を送信し、その後、ステップＳ１１０へ進み、ＤＣＮを送信する。そして、その相手先との1回目の通信を終了する。
【０１２６】
その相手先との２回目以降の通信では、図４で説明したとおり、ワンタッチ宛先テーブルのその宛先の宛先データが読み出され、その後、図４のステップ２のＹＥＳ、ステップＳ３のＹＥＳに進み、Ｓ４で宛先テーブルに記憶されたその宛先に対応する宛先データの受信機能情報がセットされ、インターネットＦＡＸモードでの送信が選択される。そして、その後は、図５のステップＳ１１３からステップＳ１１８の処理によりインターネット経由で画像データが送信される。
【０１２７】
また、メモリ送信時にメモリの画像を上記発明の実施の形態と同様にインターネットＦＡＸモードで送信することも可能である。
【０１２８】
また、ワンタッチ以外のテンキーダイヤルを使用して発呼するときでも、Ｇ３ＦＡＸモードで受信した受信機のＦＡＸ機能をテンキーダイヤルで発呼した電話番号とともにＲＡＭ１２のワークエリアに格納することにより、上記発明の実施の形態と同様にインターネットＦＡＸモードで画像データを送信することも可能である。
【０１２９】
上記説明によれば、インターネットＦＡＸモードとＧ３ファクシミリモードを持つ画像通信装置、または、画像通信方法において、Ｇ３ファクシミリモードによる交信中に相手機のＦＡＸ機能を検出し、相手機のＦＡＸ機能を検出したことに基づいて、Ｇ３ファクシミリモードの交信を切断し、インターネットＦＡＸモードによる通信に移行するので、Ｇ３ファクシミリモードの通信において、相手機の機能が判明した後に通信費のかからないインターネットＦＡＸモードへ移行するので、通信コストを下げるとともに、相手機の機能に合わせて最適な画像データを送信することができる。また、本発明の請求項９、２０によれば、インターネットＦＡＸモードとＧ３ファクシミリモードを持つ画像通信装置、または、画像通信方法において、Ｇ３ファクシミリモードによる交信中に相手機のＦＡＸ機能を検出し、検出した相手機のＦＡＸ機能に従って、インターネットＦＡＸモードで画像を送信するので、相手機のインターネットＦＡＸ機能がわからなくても、Ｇ３ファクシミリモードにより相手機の機能を検出することができ、インターネットＦＡＸモードでの相手機の機能に合わせて最適な画像データの送信ができる。
【０１３０】
さらに、検出された前記相手機のＦＡＸ機能を記憶し、記憶した前記相手機のＦＡＸ機能に従って、インターネットＦＡＸモードで画像データ送信するので、相手機の機能が記憶されている場合は、Ｇ３ファクシミリモードで通信を行わずに始めからインターネットＦＡＸモードで相手機の機能に合わせた最適な画像データを送信でき、相手機の機能を検出するＧ３ファクシミリモードを省略した分、早く画像データを送信開始できるとともに通信費が安くなる。
【０１３１】
また、インターネットＦＡＸモードとＧ３ファクシミリモードを持つ画像通信装置、または、画像通信方法において、Ｇ３ファクシミリモードの通信中にインターネットＦＡＸ機能を持つことと、インターネットＦＡＸアドレスを相手機へ通知するので、相手機において自機がインターネットＦＡＸ機能を持つことと自機のインターネットアドレスがわからなくても、相手機との間でＧ３ファクシミリモードで通信すれば、自機がインターネットＦＡＸ機能を持つこと自機のインターネットアドレスを相手機に通知することができ、相手からインターネット経由で画像データを受信できる。
【発明の効果】
以上のように本発明によれば、相手機に合わせて最適な画像送信が行える。例えば、請求項１及び３によれば、相手機のインターネットＦＡＸ機能がわからなくても、Ｇ３ファクシミリモードにより相手機の機能を検出することができ、インターネットＦＡＸ通信への切換えを指示してからインターネットＦＡＸ通信に移行できるので、相手機と共にインターネットＦＡＸ通信へスムーズに移行することができる。また、請求項４及び９によれば、インターネットＦＡＸ機能における受信能力を記憶していない相手機に対しても、インターネットＦＡＸ通信を行うことができる。
【図面の簡単な説明】
【図１】本願の発明の実施の形態のインターネットＦＡＸを表すブロック図である。
【図２】Ｔ３０のインターネットアドレス通知用のオプショナル信号を示す図である。
【図３】宛先データのフォーマットを示す図である。
【図４】ワンタッチ送信のフローチャートである。
【図５】インターネットＦＡＸ送信のフローチャートである。
【図６】ＴＩＦＦ変換のフローチャートである。
【図７】インターネットＦＡＸ受信のフローチャートである。
【図８】本発明の実施の形態のプロトコルの例である。
【図９】本発明の実施の形態のプロトコルの例である。
【符号の説明】
１  送信側のインターネットＦＡＸ装置
２  受信側のインターネットＦＡＸ装置
３  電話網
４  インターネット
５  ＣＰＵ
６  スキャナ部
７  プリンタ部
８  ＦＡＸモデム
９  ＮＣＵ（ネットワークコントロールユニット）
１０  Ｅｔｈｅｒｎｅｔインターフェース（イーサネットインターフェース）
１１  ＲＯＭ
１２  ＲＡＭ
１３  操作部
【図１】
0003715782.tif 000002
【図２】
0003715782.tif 000003
【図３】
0003715782.tif 000004
【図４】
0003715782.tif 000005
【図５】
0003715782.tif 000006
【図６】
0003715782.tif 000007
【図７】
0003715782.tif 000008
【図８】
0003715782.tif 000009
【図９】
0003715782.tif 000010